(57)【要約】【課題】基地局間キャリアアグリゲーションによりユーザ装置と通信を行う第１の基地局と第２の基地局を備える移動通信システムにおいて、第１の基地局から第２の基地局に送信される構成変更に係る設定情報の情報量を削減する。【解決手段】前記移動通信システムにおける情報通知方法において、前記第１の基地局が、第１の所望設定情報を含む構成変更要求を前記第２の基地局に通知するステップと、前記第２の基地局が、第２の所望設定情報を前記第１の基地局に通知するステップと、前記第１の基地局が、第１の設定情報及び第２の設定情報を決定し、当該第１の設定情報及び当該第２の設定情報を前記ユーザ装置に通知するステップと、前記第１の設定情報及び前記第２の設定情報の前記ユーザ装置への設定が完了した後、当該設定に関する情報を前記第２の基地局に通知するステップとを備える。【選択図】図５
2016077013.tif 000002
【特許請求の範囲】
【請求項１】
基地局間キャリアアグリゲーションによりユーザ装置と通信を行う第１の基地局及び第２の基地局を備える移動通信システムにおける情報通知方法であって、
前記第１の基地局が、第１の所望設定情報を含む構成変更要求を前記第２の基地局に通知するステップと、
前記第２の基地局が、第２の所望設定情報を前記第１の基地局に通知する第２所望設定情報通知ステップと、
前記第１の基地局が、前記ユーザ装置に設定する第１の設定情報及び第２の設定情報を決定し、当該第１の設定情報及び当該第２の設定情報を前記ユーザ装置に通知する設定ステップと、
前記第１の設定情報及び前記第２の設定情報の前記ユーザ装置への設定が完了した後、当該設定に関する情報を前記第２の基地局に通知する通知ステップと
を備えることを特徴とする情報通知方法。
【請求項２】
基地局間キャリアアグリゲーションによりユーザ装置と通信を行う第１の基地局及び第２の基地局を備える移動通信システムであって、
前記第１の基地局が、第１の所望設定情報を含む構成変更要求を前記第２の基地局に通知し、
前記第２の基地局が、第２の所望設定情報を前記第１の基地局に通知し、
前記第１の基地局が、前記ユーザ装置に設定する第１の設定情報及び第２の設定情報を決定し、当該第１の設定情報及び当該第２の設定情報を前記ユーザ装置に通知し、
前記第１の設定情報及び前記第２の設定情報の前記ユーザ装置への設定が完了した後、当該設定に関する情報を前記第２の基地局に通知する
ことを特徴とする移動通信システム。
【請求項３】
基地局間キャリアアグリゲーションによりユーザ装置と通信を行う第１の基地局及び第２の基地局を備える移動通信システムにおいて前記第１の基地局として使用される基地局であって、
第１の所望設定情報を含む構成変更要求を前記第２の基地局に通知する通知手段と、
前記第２の基地局から、第２の所望設定情報を受信し、前記ユーザ装置に設定する第１の設定情報及び第２の設定情報を決定し、当該第１の設定情報及び当該第２の設定情報を前記ユーザ装置に通知する設定手段と、
前記第１の設定情報及び前記第２の設定情報の前記ユーザ装置への設定が完了した後、当該設定に関する情報を前記第２の基地局に通知する通知手段と
を備えることを特徴とする基地局。
【請求項４】
基地局間キャリアアグリゲーションによりユーザ装置と通信を行う第１の基地局及び第２の基地局を備える移動通信システムにおいて前記第２の基地局として使用される基地局であって、
前記第１の基地局から、第１の所望設定情報を含む構成変更要求を受信し、第２の所望設定情報を前記第１の基地局に通知する通知手段と、
前記第１の基地局が、前記ユーザ装置に設定する第１の設定情報及び第２の設定情報を決定し、当該第１の設定情報及び当該第２の設定情報を前記ユーザ装置に通知し、当該第１の設定情報及び当該第２の設定情報の前記ユーザ装置への設定が完了した後に、当該設定に関する情報を前記第１の基地局から受信する受信手段と
を備えることを特徴とする基地局。
【発明の詳細な説明】
【技術分野】
【０００１】
本発明は、ユーザ装置が基地局間キャリアアグリゲーションにより複数の基地局と通信を行うように構成される移動通信システムにおける基地局間の設定情報（ｃｏｎｆｉｇｕｒａｔｉｏｎ）の通知技術に関連するものである。
【背景技術】
【０００２】
ＬＴＥシステムでは、所定の帯域幅（最大２０ＭＨｚ）を基本単位として、複数のキャリアを同時に用いて通信を行うキャリアアグリゲーション（ＣＡ：Ｃａｒｒｉｅｒ  Ａｇｇｒｅｇａｔｉｏｎ）が採用されている。キャリアアグリゲーションにおいて基本単位となるキャリアはコンポーネントキャリア（ＣＣ：Ｃｏｍｐｏｎｅｎｔ  Ｃａｒｒｉｅｒ）と呼ばれる。
【０００３】
ＣＡが行われる際には、ユーザ装置ＵＥに対して、接続性を担保する信頼性の高いセルであるＰＣｅｌｌ（Ｐｒｉｍａｒｙ  ｃｅｌｌ）及び付随的なセルであるＳＣｅｌｌ（Ｓｅｃｏｎｄａｒｙ  ｃｅｌｌ）が設定される。ユーザ装置ＵＥは、第１に、ＰＣｅｌｌに接続し、必要に応じて、ＳＣｅｌｌを追加することができる。ＰＣｅｌｌは、ＲＬＭ（Ｒａｄｉｏ  Ｌｉｎｋ  Ｍｏｎｉｔｏｒｉｎｇ）及びＳＰＳ（Ｓｅｍｉ-Ｐｅｒｓｉｓｔｅｎｔ  Ｓｃｈｅｄｕｌｉｎｇ）等をサポートする単独のセルと同様のセルである。
【０００４】
ＳＣｅｌｌは、ＰＣｅｌｌに追加されてユーザ装置ＵＥに対して設定されるセルである。ＳＣｅｌｌの追加及び削除は、ＲＲＣ（Ｒａｄｉｏ  Ｒｅｓｏｕｒｃｅ  Ｃｏｎｔｒｏｌ）シグナリングによって行われる。ＳＣｅｌｌは、ユーザ装置ＵＥに対して設定された直後は、非アクティブ状態（ｄｅａｃｔｉｖａｔｅ状態）であるため、アクティブ化することで初めて通信可能（スケジューリング可能）となるセルである。
【０００５】
図１に示すように、ＬＴＥのＲｅｌ−１０までのＣＡでは、同一基地局ｅＮＢ配下の複数のＣＣを用いている。
【０００６】
一方、Ｒｅｌ−１２ではこれを拡張し、異なる基地局ｅＮＢ配下のＣＣを用いて同時通信を行い、高スループットを実現するＤｕａｌ  ｃｏｎｎｅｃｔｉｖｉｔｙ（二重接続）が提案されている（非特許文献１）。つまり、Ｄｕａｌ  ｃｏｎｎｅｃｔｉｖｉｔｙでは、ＵＥは、２つの物理的に異なる基地局ｅＮＢの無線リソースを同時に使用して通信を行う。
【０００７】
Ｄｕａｌ  ｃｏｎｎｅｃｔｉｖｉｔｙは、ＣＡの一種であり、Ｉｎｔｅｒ  ｅＮＢ  ＣＡ（基地局間キャリアアグリゲーション）とも呼ばれ、Ｍａｓｔｅｒ−ｅＮＢ（ＭｅＮＢ）と、Ｓｅｃｏｎｄａｒｙ−ｅＮＢ（ＳｅＮＢ）が導入される。図２に、Ｄｕａｌ  ｃｏｎｎｅｃｔｉｖｉｔｙの例を示す。図２の例では、ＭｅＮＢがＣＣ＃１でユーザ装置ＵＥと通信を行い、ＳｅＮＢがＣＣ＃２でユーザ装置ＵＥと通信を行うことでＤｕａｌ  ｃｏｎｎｅｃｔｉｖｉｔｙ（以下、ＤＣ）を実現している。
【０００８】
ＤＣにおいて、ＭｅＮＢ配下のセル（１つ又は複数）で構成されるセルグループをＭＣＧ（Ｍａｓｔｅｒ  Ｃｅｌｌ  Ｇｒｏｕｐ、マスターセルグループ）、ＳｅＮＢ配下のセル（１つ又は複数）で構成されるセルグループをＳＣＧ（Ｓｅｃｏｎｄａｒｙ  Ｃｅｌｌ  Ｇｒｏｕｐ、セカンダリセルグループ）と呼ぶ。ＳＣＧのうちの少なくとも１つのＳＣｅｌｌにはＵＬのＣＣが設定され、そのうちの１つにＰＵＣＣＨが設定される。このＳＣｅｌｌをＰＳＣｅｌｌ（ｐｒｉｍａｒｙ  ＳＣｅｌｌ）と呼ぶ。
【先行技術文献】
【非特許文献】
【０００９】
【非特許文献１】３ＧＰＰ  ＴＲ  ３６．８４２  Ｖ１２．０．０  （２０１３−１２）
【非特許文献２】３ＧＰＰ  ＴＳＧ−ＲＡＮ  ＷＧ２  ＃８７，Ｒ２−１４３４１７
【発明の概要】
【発明が解決しようとする課題】
【００１０】
ＤＣの設定等の構成変更を行う際には、例えば図３に示すようなシグナリングフローが実行される。ここでの構成変更とは、ＤＣに関するＳｅＮＢ追加、パラメータ変更等、ＳｅＮＢとＭｅＮＢ間でのメッセージ送受信が発生する構成変更全般を示すものである。また、図３は、シグナリングフローの一部を示すものである。なお、図３に関連するＤＣにおけるシグナリングフローの例が非特許文献２に記載されている。
【００１１】
図３において、例えばＭｅＮＢが構成変更（例：ＳｅＮＢ追加）を決定すると、ＭｅＮＢは、構成変更要求をＳｅＮＢに送信する（ステップ１）。当該構成変更要求には、当該構成変更においてＭｅＮＢがユーザ装置ＵＥに設定することを希望する所望ＭＣＧコンフィギュレーション（ｔａｒｇｅｔ  ＭＣＧ  ｃｏｎｆｉｇ）と、ＭｅＮＢがユーザ装置ＵＥから受信したＵＥ能力（ＵＥ  ｃａｐａｂｉｌｉｔｙ）が含まれる。
【００１２】
構成変更要求を受信したＳｅＮＢは、所望ＭＣＧコンフィギュレーションとＵＥ能力とを考慮して、当該構成変更において自身がユーザ装置ＵＥに設定することを希望する所望ＳＣＧコンフィギュレーション（ｔａｒｇｅｔ  ＳＣＧ  ｃｏｎｆｉｇ）を決定し、当該所望ＳＣＧコンフィギュレーションを含む確認応答をＭｅＮＢに送信する（ステップ２）。
【００１３】
ＭｅＮＢは必要に応じて、所望ＭＣＧコンフィギュレーション及び／又は所望ＳＣＧコンフィギュレーションを変更し、決定されたＭＣＧコンフィギュレーションとＳＣＧコンフィギュレーションを含む構成変更指示（例：ＲＲＣ  ｃｏｎｎｅｃｔｉｏｎ  ｒｅｃｏｎｆｉｇｕｒａｔｉｏｎ）をユーザ装置ＵＥに送信する（ステップ３）。
【００１４】
ユーザ装置ＵＥは、構成変更の設定が完了すると、完了応答（例：ＲＲＣ  ｃｏｎｎｅｃｔｉｏｎ  ｒｅｃｏｎｆｉｇｕｒａｔｉｏｎ  ｃｏｍｐｌｅｔｅ）をＭｅＮＢに返す（ステップ４）。
【００１５】
ユーザ装置ＵＥから完了応答を受信したＭｅＮＢは、確認応答（ｃｏｎｆｉｒｍａｔｉｏｎ  ｍｅｓｓａｇｅ）をＳｅＮＢに送信する（ステップ５）。このとき、確認応答の中に、最終的にユーザ装置ＵＥに設定したＭＣＧコンフィギュレーションとＳＣＧコンフィギュレーションを含めることが想定されている。これは、ＳｅＮＢが適切にＵＥに対する制御（例：ＵＬ電力制御）を行うためには、自身（ＳＣＧ）の側で最終的に設定されたコンフィギュレーションのみならず、ＭＣＧの側で設定されたコンフィギュレーションも知ることが望ましいためである。
【００１６】
しかし、図３に示すシーケンスのステップ２の段階でＳｅＮＢは所望ＭＣＧコンフィギュレーションと所望ＳＣＧコンフィギュレーションを把握しており、もしも最終的なＭＣＧコンフィギュレーション／ＳＣＧコンフィギュレーションが、所望ＭＣＧコンフィギュレーション／所望ＳＣＧコンフィギュレーションから変更されない場合においては、ＳｅＮＢはステップ５において、既に把握している情報をＭｅＮＢから受信することになる。また、変更がある場合でも、既に把握している変更されない分が通知されてしまう。
【００１７】
すなわち、構成変更手順におけるＭｅＮＢからＳｅＮＢへの確認応答において、ＳｅＮＢが既に把握しており、通知する必要のないコンフィギュレーションまで通知されてしまうため、Ｘ２インターフェースにおけるオーバヘッドが増加するという問題がある。
【００１８】
本発明は上記の点に鑑みてなされたものであり、基地局間キャリアアグリゲーションによりユーザ装置と通信を行う第１の基地局と第２の基地局を備える移動通信システムにおいて、第１の基地局から第２の基地局に送信される構成変更に係る設定情報の情報量を削減することを可能とする技術を提供することを目的とする。
【課題を解決するための手段】
【００１９】
本発明の実施の形態によれば、基地局間キャリアアグリゲーションによりユーザ装置と通信を行う第１の基地局及び第２の基地局を備える移動通信システムにおける情報通知方法であって、
前記第１の基地局が、第１の所望設定情報を含む構成変更要求を前記第２の基地局に通知するステップと、
前記第２の基地局が、第２の所望設定情報を前記第１の基地局に通知する第２所望設定情報通知ステップと、
前記第１の基地局が、前記ユーザ装置に設定する第１の設定情報及び第２の設定情報を決定し、当該第１の設定情報及び当該第２の設定情報を前記ユーザ装置に通知する設定ステップと、
前記第１の設定情報及び前記第２の設定情報の前記ユーザ装置への設定が完了した後、当該設定に関する情報を前記第２の基地局に通知する通知ステップと、を備える情報通知方法が提供される。
【００２０】
また、本発明の実施の形態によれば、基地局間キャリアアグリゲーションによりユーザ装置と通信を行う第１の基地局及び第２の基地局を備える移動通信システムであって、
前記第１の基地局が、第１の所望設定情報を含む構成変更要求を前記第２の基地局に通知し、
前記第２の基地局が、第２の所望設定情報を前記第１の基地局に通知し、
前記第１の基地局が、前記ユーザ装置に設定する第１の設定情報及び第２の設定情報を決定し、当該第１の設定情報及び当該第２の設定情報を前記ユーザ装置に通知し、
前記第１の設定情報及び前記第２の設定情報の前記ユーザ装置への設定が完了した後、当該設定に関する情報を前記第２の基地局に通知する、移動通信システムが提供される。
【００２１】
また、本発明の実施の形態によれば、基地局間キャリアアグリゲーションによりユーザ装置と通信を行う第１の基地局及び第２の基地局を備える移動通信システムにおいて前記第１の基地局として使用される基地局であって、
第１の所望設定情報を含む構成変更要求を前記第２の基地局に通知する通知手段と、
前記第２の基地局から、第２の所望設定情報を受信し、前記ユーザ装置に設定する第１の設定情報及び第２の設定情報を決定し、当該第１の設定情報及び当該第２の設定情報を前記ユーザ装置に通知する設定手段と、
前記第１の設定情報及び前記第２の設定情報の前記ユーザ装置への設定が完了した後、当該設定に関する情報を前記第２の基地局に通知する通知手段と、を備える基地局が提供される。
【００２２】
また、本発明の実施の形態によれば、基地局間キャリアアグリゲーションによりユーザ装置と通信を行う第１の基地局及び第２の基地局を備える移動通信システムにおいて前記第２の基地局として使用される基地局であって、
前記第１の基地局から、第１の所望設定情報を含む構成変更要求を受信し、第２の所望設定情報を前記第１の基地局に通知する通知手段と、
前記第１の基地局が、前記ユーザ装置に設定する第１の設定情報及び第２の設定情報を決定し、当該第１の設定情報及び当該第２の設定情報を前記ユーザ装置に通知し、当該第１の設定情報及び当該第２の設定情報の前記ユーザ装置への設定が完了した後に、当該設定に関する情報を前記第１の基地局から受信する受信手段と、を備える基地局が提供される。
【発明の効果】
【００２３】
本発明の実施の形態によれば、基地局間キャリアアグリゲーションによりユーザ装置と通信を行う第１の基地局と第２の基地局を備える移動通信システムにおいて、第１の基地局から第２の基地局に送信される構成変更に係る設定情報の情報量を削減することが可能となる。
【図面の簡単な説明】
【００２４】
【図１】Ｒｅｌ−１０までのＣＡを示す図である。
【図２】Ｄｕａｌ  ｃｏｎｎｅｃｔｉｖｉｔｙの例を示す図である。
【図３】課題を説明するための図である。
【図４】本発明の実施の形態における通信システムの構成図である。
【図５】本発明の実施の形態における処理手順を示す図である。
【図６】差分の例を示す図である。
【図７】具体的な処理手順例を示す図である。
【図８】変形例の処理手順例を示す図である。
【図９】本発明の実施の形態における基地局の構成図である。
【発明を実施するための形態】
【００２５】
以下、図面を参照して本発明の実施の形態を説明する。なお、以下で説明する実施の形態は一例に過ぎず、本発明が適用される実施の形態は、以下の実施の形態に限られるわけではない。また、本実施の形態では、ＬＴＥの移動通信システムを対象とするが、本発明はＬＴＥに限らず他の移動通信システムにも適用可能である。また、本明細書及び特許請求の範囲では、特に断らない限り、「ＬＴＥ」の用語は３ＧＰＰのＲｅｌ−１２、もしくは、Ｒｅｌ−１２以降の方式の意味で使用する。
【００２６】
（システム全体構成）
図４は、本発明の実施の形態における通信システムの構成例を示す図である。図４に示すように、当該通信システムは、コアネットワーク１０と接続される基地局ＭｅＮＢ及び基地局ＳｅＮＢを含み、基地局ＭｅＮＢ及び基地局ＳｅＮＢはユーザ装置ＵＥとの間でＤＣを実行することが可能である。基地局ＭｅＮＢと基地局ＳｅＮＢとの間は、Ｘ２インターフェースにより通信可能である。以下、記述を簡潔にするために、基地局ＭｅＮＢ、基地局ＳｅＮＢはそれぞれ、ＭｅＮＢ、ＳｅＮＢと記述することにする。
【００２７】
図４に示す通信システムにおいて、例えば、ＭＣＧをマクロセルとし、ＳＣＧをスモールセルとして、ＰＣｅｌｌ、ＳＣｅｌｌ（ＰＳＣｅｌｌを含む）の設定を行うことができる。ユーザ装置ＵＥにおけるＳｅＮＢの追加、削除、設定変更等は、ＭｅＮＢからのＲＲＣシグナリングで行うこととするが、これに限られるわけではない。
【００２８】
（システムの動作例）
図５を参照して本実施の形態におけるシステムの動作例を説明する。図５は、ＤＣの設定や変更等の構成変更を行う際のシグナリングフローの例を示す。ここでの構成変更とは、ＤＣに関するＳｅＮＢ追加、パラメータ変更等、ＳｅＮＢとＭｅＮＢ間でコンフィギュレーションに関するメッセージ送受信が発生する構成変更全般を示すものである。
【００２９】
ＭｅＮＢが構成変更（例：ＳｅＮＢ追加）を決定すると、ＭｅＮＢは、構成変更要求をＳｅＮＢに送信する（ステップ１０１）。当該構成変更要求には、当該構成変更においてＭｅＮＢがユーザ装置ＵＥに設定することを希望する所望ＭＣＧコンフィギュレーション（ｔａｒｇｅｔ  ＭＣＧ  ｃｏｎｆｉｇ）と、ＭｅＮＢがユーザ装置ＵＥから受信しているＵＥ能力（ＵＥ  ｃａｐａｂｉｌｉｔｙ）が含まれる。
【００３０】
構成変更要求を受信したＳｅＮＢは、所望ＭＣＧコンフィギュレーションとＵＥ能力とを考慮して、当該構成変更において自身がユーザ装置ＵＥに設定することを希望する所望ＳＣＧコンフィギュレーション（ｔａｒｇｅｔ  ＳＣＧ  ｃｏｎｆｉｇ）を決定し、当該所望ＳＣＧコンフィギュレーションを含む確認応答（ａｃｋ）をＭｅＮＢに送信する（ステップ１０２）。
【００３１】
所望ＭＣＧコンフィギュレーションとＵＥ能力とを考慮して所望ＳＣＧコンフィギュレーションを決定するとは、例えば、ＤＣ設定（ＳｅＮＢ追加）において、ユーザ装置ＵＥが設定できるＭＣＧとＳＣＧを合わせたＣＣ数の上限が３であるとし、ＭｅＮＢが所望ＭＣＧコンフィギュレーションでＣＣ数を１とした場合に、ＳｅＮＢが２（３−１）を上限としてＣＣ数を決定することである。
【００３２】
ステップ１０２で確認応答を受信したＭｅＮＢは、必要に応じて、所望ＭＣＧコンフィギュレーション及び／又は所望ＳＣＧコンフィギュレーションを変更し、決定されたＭＣＧコンフィギュレーションとＳＣＧコンフィギュレーションを含む構成変更指示（例：ＲＲＣ  ｃｏｎｎｅｃｔｉｏｎ  ｒｅｃｏｎｆｉｇｕｒａｔｉｏｎ）をユーザ装置ＵＥに送信する（ステップ１０３）。
【００３３】
所望コンフィギュレーションを変更する場合の例を説明する。例えば、ＤＣ設定（ＳｅＮＢ追加）において、ユーザ装置ＵＥが設定できるＭＣＧとＳＣＧを合わせたＣＣ数の上限が３であるとし、ＭｅＮＢが所望ＭＣＧコンフィギュレーションでＣＣ数を１とした場合に、ＳｅＮＢが混雑度等を鑑みて所望ＳＣＧコンフィギュレーションにおいてＣＣ数を１にしたとする（上限の２より小さい値）。
【００３４】
このとき、ＭｅＮＢは、ステップ１０２の確認応答で、ＳｅＮＢの所望ＣＣ数が１であることを把握し、これと自身の所望ＣＣ数１との合計（＝２）は、ＵＥ能力値（＝３）よりも小さいことを把握する。仮に、ＭｅＮＢが、可能な限りＵＥ能力を余すところなく使用するというポリシーでＵＥへのコンフィギュレーションを行うとした場合に、ＭｅＮＢは、当初の所望ＣＣ数１を２に変更することが考えられる。
【００３５】
図５のステップ１０３で構成変更指示を受信したユーザ装置ＵＥは、受信したコンフィギュレーション情報に従って構成変更の設定を実施し、構成変更の設定が完了すると、完了応答（例：ＲＲＣ  ｃｏｎｎｅｃｔｉｏｎ  ｒｅｃｏｎｆｉｇｕｒａｔｉｏｎ  ｃｏｍｐｌｅｔｅ）をＭｅＮＢに返す（ステップ１０４）。
【００３６】
ユーザ装置ＵＥから完了応答を受信したＭｅＮＢは、確認応答（ｃｏｎｆｉｒｍａｔｉｏｎ  ｍｅｓｓａｇｅ）をＳｅＮＢに送信する（ステップ１０５）。このとき、本実施の形態では、確認応答の中に、所望ＭＣＧコンフィギュレーション及び所望ＳＣＧコンフィギュレーションと、最終的にユーザ装置ＵＥに設定した（つまり、完了応答が返された）ＭＣＧコンフィギュレーション及びＳＣＧコンフィギュレーションとの差分のみを含める。
【００３７】
すなわち、本実施の形態では、ＭｅＮＢからＳｅＮＢに確認応答（ｃｏｎｆｉｒｍａｔｉｏｎ  ｍｅｓｓａｇｅ）を通知する際に、差分のみを通知することでＸ２インターフェースのオーバーヘッドを軽減することとしている。ＳｅＮＢは、所望ＭＣＧ／ＳＣＧコンフィギュレーションを保持しているので、差分を受信することで、設定完了後のＵＥにおけるＭＣＧ／ＳＣＧコンフィギュレーションを把握できる。
【００３８】
図６を参照して、確認応答で通知するコンフィギュレーションの差分の例を説明する。図６に示すように、例えば、ＭｅＮＢが所望した当初のＭＣＧコンフィギュレーションが（パラメータ１＝３、パラメータ２＝４、パラメータ３＝５）であり、ＳｅＮＢが所望した当初のＳＣＧコンフィギュレーションが（パラメータ１＝２、パラメータ２＝４、パラメータ３＝３）であるとする。
【００３９】
そして、ユーザ装置ＵＥに通知して設定が完了した最終のＭＣＧコンフィギュレーションが（パラメータ１＝２、パラメータ２＝４、パラメータ３＝５）であり、ユーザ装置ＵＥに通知して設定が完了した最終のＳＣＧコンフィギュレーションが（パラメータ１＝２、パラメータ２＝４、パラメータ３＝３）であるとする。
【００４０】
この場合、当初のＭＣＧコンフィギュレーション及びＳＣＧコンフィギュレーションと、最終的にユーザ装置ＵＥへ設定したＭＣＧコンフィギュレーション及びＳＣＧコンフィギュレーションとの差分は、ＭＣＧコンフィギュレーションにおけるパラメータ１のみであるから、確認応答には、ＭＣＧコンフィギュレーションにおけるパラメータ１に関する情報のみを送信する。当該情報としては、最終的に設定したパラメータ１の値でもよいし、パラメータ１の差分（この場合、１だけ減少した旨）でもよい。いずれの場合も「当初のＭＣＧコンフィギュレーション及びＳＣＧコンフィギュレーションと、最終的にユーザ装置ＵＥに設定したＭＣＧコンフィギュレーション及びＳＣＧコンフィギュレーションとの差分」の情報である。
【００４１】
また、図６の例で、ＳＣＧコンフィギュレーションに関しては、当初と最終との間で差がないので、差がないことを明示的に通知してもよいし、ＳＣＧコンフィギュレーションに関して何も通知しないことで、暗黙的に差がないことを通知してもよい。
【００４２】
また、ＭＣＧコンフィギュレーションとＳＣＧコンフィギュレーションの両方に関して当初と最終との間に差分がない場合、両方の差分がないことを明示的に通知してもよいし、差分として何も通知しないことで暗黙的に差分がないことを通知してもよい。
【００４３】
また、差分がある場合に差分を通知するＩＥ（Ｉｎｆｏｒｍａｔｉｏｎ  Ｅｌｅｍｅｎｔ）、もしくはパラメータが特定のものに限定されてもよい。例えば、ＭｅＮＢが、あるＩＥ−Ａのみについて差分がある場合に通知を行うとした場合において、ＭｅＮＢは、当該ＩＥ−Ａに関して差分がある場合には、当該差分を通知するが、ＩＥ−Ａ以外のＩＥに差分があっても差分を通知しない。この場合、何も通知しない場合は、ＩＥ−Ａに関して差分がないことを暗に通知したことになる。
【００４４】
また、差分を通知するパラメータを特定のものに限定する場合における特定のパラメータは、例えば、各Ｃｅｌｌ  Ｇｒｏｕｐ（ｅＮＢ）におけるＵＬのｇｕａｒａｎｔｅｅｄ  ｐｏｗｅｒ（ＰＭｅＮＢ，ＰＳｅＮＢ）、１ＴＴＩでＵＥが送信／受信できるビット数、設定しているＤＬ／ＵＬのＣＣの数、のうちのいずれか１つ又は複数又は全部である。
【００４５】
上記のパラメータを特定のパラメータとして挙げるのは、ＭｅＮＢとＳｅＮＢは、ＵＥの能力や、最大送信電力を超過しないようにスケジューリングをするために、互いの最大送信電力（ｇｕａｒａｎｔｅｅｄ  ｐｏｗｅｒ）、最大スケジューリングビット数、設定されているＣＣ数を把握しておく必要があるからである。
【００４６】
なお、本実施の形態においてＭｅＮＢからＳｅＮＢに通知される「当初のＭＣＧコンフィギュレーション及びＳＣＧコンフィギュレーションと、最終的にユーザ装置ＵＥに設定したＭＣＧコンフィギュレーション及びＳＣＧコンフィギュレーションとの差分」について、図６の例では、「当初のＭＣＧコンフィギュレーション及びＳＣＧコンフィギュレーション」とは、ＭｅＮＢとＳｅＮＢがＵＥに設定しようとしている所望コンフィギュレーションであり、「最終的にユーザ装置ＵＥに設定したＭＣＧコンフィギュレーション及びＳＣＧコンフィギュレーション」とは、上記ＵＥに設定しようとしている所望コンフィギュレーションについての最終的にＵＥに設定されたコンフィギュレーションである。
【００４７】
上記の例は一例であり、本実施の形態においてＭｅＮＢからＳｅＮＢに通知される「当初のＭＣＧコンフィギュレーション及びＳＣＧコンフィギュレーションと、最終的にユーザ装置ＵＥに設定したＭＣＧコンフィギュレーション及びＳＣＧコンフィギュレーションとの差分」について、「当初のＭＣＧコンフィギュレーション及びＳＣＧコンフィギュレーション」を、ＵＥに既に設定されているコンフィギュレーション全体（図５においてステップ１０３の直前でＵＥに設定されているコンフィギュレーション）とし、「最終的にユーザ装置ＵＥに設定したＭＣＧコンフィギュレーション及びＳＣＧコンフィギュレーション」を、構成変更後にＵＥに設定されているコンフィギュレーション全体（図５のステップ１０３、１０４の後、ＵＥに設定されているコンフィギュレーション）としてもよい。この場合も、差分がない場合の通知方法や、特定のＩＥ、パラメータに限定する方法等は、前述した場合と同様である。
【００４８】
（動作の具体例）
図７に、構成変更がＳｅＮＢ追加（ＳｅＮＢ  ａｄｄｉｔｉｏｎ）である場合のシーケンス例を示す。図７は、ＳｅＮＢ追加のためのシーケンス全体の中の一部である。
【００４９】
ＭｅＮＢがＳｅＮＢ追加を決定すると、ＭｅＮＢは、ＳｅＮＢ  ａｄｄｉｔｉｏｎ  ｒｅｑｕｅｓｔをＳｅＮＢに送信する（ステップ２０１）。当該ＳｅＮＢ  ａｄｄｉｔｉｏｎ  ｒｅｑｕｅｓｔには、所望ＭＣＧコンフィギュレーション（ｔａｒｇｅｔ  ＭＣＧ  ｃｏｎｆｉｇ）と、ＵＥ能力（ＵＥ  ｃａｐａｂｉｌｉｔｙ）と、ＳｅＮＢ配下のセルのｍｅａｓｕｒｅｍｅｎｔ  ｒｅｓｕｌｔが含まれる。
【００５０】
ＳｅＮＢ  ａｄｄｉｔｉｏｎ  ｒｅｑｕｅｓｔを受信したＳｅＮＢは、ｒｅｑｕｅｓｔの内容を考慮して、ＤＣ可能であれば、自身がユーザ装置ＵＥに設定することを希望する所望ＳＣＧコンフィギュレーション（ｔａｒｇｅｔ  ＳＣＧ  ｃｏｎｆｉｇ）を決定し、当該所望ＳＣＧコンフィギュレーションを含むＳｅＮＢ  ａｄｄｉｔｉｏｎ  ｒｅｑｕｅｓｔ  ａｃｋ（以下、ａｃｋ）をＭｅＮＢに送信する（ステップ２０２）。
【００５１】
ａｃｋを受信したＭｅＮＢは、必要に応じて、所望ＭＣＧコンフィギュレーション及び／又は所望ＳＣＧコンフィギュレーションを変更し、決定されたＭＣＧコンフィギュレーションとＳＣＧコンフィギュレーションを含むＲＲＣ  ｃｏｎｎｅｃｔｉｏｎ  ｒｅｃｏｎｆｉｇｕｒａｔｉｏｎをユーザ装置ＵＥに送信する（ステップ２０３）。
【００５２】
ステップ２０３でＲＲＣ  ｃｏｎｎｅｃｔｉｏｎ  ｒｅｃｏｎｆｉｇｕｒａｔｉｏｎを受信したユーザ装置ＵＥは、受信したコンフィギュレーションに従ってＣＣ追加等のＲＲＣ設定を実施し、設定が完了すると、ＲＲＣ  ｃｏｎｎｅｃｔｉｏｎ  ｒｅｃｏｎｆｉｇｕｒａｔｉｏｎ  ｃｏｍｐｌｅｔｅをＭｅＮＢに送信する（ステップ２０４）。
【００５３】
ユーザ装置ＵＥからＲＲＣ  ｃｏｎｎｅｃｔｉｏｎ  ｒｅｃｏｎｆｉｇｕｒａｔｉｏｎ  ｃｏｍｐｌｅｔｅを受信したＭｅＮＢは、確認応答（ｃｏｎｆｉｒｍａｔｉｏｎ  ｍｅｓｓａｇｅ）をＳｅＮＢに送信する（ステップ２０５）。ｃｏｎｆｉｒｍａｔｉｏｎ  ｍｅｓｓａｇｅの中には、既に説明したように、例えば、所望ＭＣＧコンフィギュレーション及び所望ＳＣＧコンフィギュレーションと、最終的にユーザ装置ＵＥに設定したＭＣＧコンフィギュレーション及びＳＣＧコンフィギュレーションとの差分が含まれる。差分がない場合は、例えば差分として何も通知しない。
【００５４】
なお、図７の例では、構成変更の例として、ＳｅＮＢ  ａｄｄｉｔｉｏｎを挙げたが、構成変更はこれに限られない。本実施の形態における構成変更としてはＳｅＮＢ  ａｄｄｉｔｉｏｎ以外に、例えば、ＳｅＮＢ  ｍｏｄｉｆｉｃａｔｉｏｎ、ＳｅＮＢ  ｒｅｌｅａｓｅ、ｅＮＢ  ｃｈａｎｇｅ（Ｈａｎｄｏｖｅｒ）等がある。
【００５５】
（変形例）
前述したように、図５のステップ１０２／図７のステップ２０２の後、ＭｅＮＢは必要に応じてＭＣＧ／ＳＣＧコンフィギュレーションを変更することができる。しかし、ＳｅＮＢは、ＭｅＮＢが変更したＭＣＧ／ＳＣＧコンフィギュレーションを受け入れない可能性がある。例えば、ＴＰＣ関連のパラメータのように、ＳｅＮＢ配下のセルの状況によってはＳｅＮＢが決定してＭｅＮＢに通知したパラメータでなければパフォーマンスを発揮できないような場合において、当該パラメータがＳｅＮＢにとって悪いほうに変更された場合に、ＳｅＮＢが当該パラメータの変更を受け入れない可能性がある。ＳｅＮＢがパラメータの変更を受け入れない場合、更なるシーケンスが発生し、オーバーヘッドが増加する可能性がある。
【００５６】
このような場合が発生することを防止するために、ＳｅＮＢは、図５のステップ１０２／図７のステップ２０２において確認応答（ａｃｋ）をＭｅＮＢに返す際に、自身が希望するＳＣＧコンフィギュレーションを変更しないことを通知することとしてよい。
【００５７】
この場合におけるシーケンス例を図８に示す。このシーケンスは図７と同様にＳｅＮＢ  ａｄｄｉｔｉｏｎの例であるが、変形例についても、ＳｅＮＢ  ａｄｄｉｔｉｏｎに限らず、種々の構成変更について適用可能である。ステップ３０１〜３０５の処理内容は、以下で説明する点を除いて、図７におけるステップ２０１〜２０５の処理内容と同じである。以下、図７で説明した処理と異なる処理について説明する。
【００５８】
図８の例では、ステップ３０２の直前において、ＳｅＮＢは所望のＳＣＧコンフィギュレーションを決定するとともに、当該ＳＣＧコンフィギュレーションは変更不可であると決定する。そして、ステップ３０２のａｃｋの中に、所望のＳＣＧコンフィギュレーションと、変更不可であることを示す情報（ｉｎｄｉｃａｔｉｏｎ）を含めてＭｅＮＢに送信する。尚、当該変更不可であることを示す情報は、明示的なｉｎｄｉｃａｔｉｏｎでもよいし、ｉｎｄｉｃａｔｉｏｎを明示的に含めないことによる暗黙的なものでもよい。
【００５９】
当該情報を受信したＭｅＮＢは、ＳＣＧコンフィギュレーションを変更せずにＲＲＣ  ｃｏｎｎｅｃｔｉｏｎ  ｒｅｃｏｎｆｉｇｕｒａｔｉｏｎをユーザ装置ＵＥに送信する（ステップ３０４）。
【００６０】
ステップ３０４の後、ステップ３０５において、ＵＥに設定された最終のＳＣＧコンフィギュレーションは、当初のＳＣＧコンフィギュレーションと変更はないため、ＳＣＧコンフィギュレーションに関しては、「差分なし」がＳｅＮＢに通知される。ここでのＭｅＮＢにおける制御に関し、図５、図７と同様に、最終のＳＣＧコンフィギュレーションと当初のＳＣＧコンフィギュレーションとを比較することによって差分なしを判定することでもよいし、ステップ３０２で変更不可を指示されたことにより、実際に比較を行うことなく差分なしを通知することとしてもよい。また、差分に関して何も通知しなくてもよい。
【００６１】
また、ステップ３０２における変更不可の指定は、ＭｅＮＢに通知するＳＣＧコンフィギュレーション全体を対象としてもよいし、ＩＥ単位でもよいし、パラメータ単位でもよい。ＩＥ単位／パラメータ単位の場合、ステップ３０５において、変更不可のＩＥ／パラメータに関しては差分なしがＳｅＮＢに通知される。
【００６２】
（基地局ＭｅＮＢ、ＳｅＮＢの構成例）
図９に、これまでに説明した動作を実行可能なＭｅＮＢとＳｅＮＢの機能構成図を示す。図９に示すように、ＭｅＮＢは、ＤＬ信号送信部１０１、ＵＬ信号受信部１０２、基地局間通信部１０３、差分通知制御部１０４、設定制御部１０５を含む。また、ＳｅＮＢは、ＤＬ信号送信部２０１、ＵＬ信号受信部２０２、基地局間通信部２０３、変更不可通知制御部２０４、設定制御部２０５を含む。なお、図９は、ＭｅＮＢとＳｅＮＢにおいて本発明の実施の形態に特に関連する機能部のみを示すものであり、ＭｅＮＢとＳｅＮＢはいずれも、少なくともＬＴＥに準拠した移動通信システムにおける基地局として動作するための図示しない機能も有するものである。また、図９に示す機能構成は一例に過ぎない。本実施の形態に係る動作を実行できるのであれば、機能区分や機能部の名称はどのようなものでもよい。
【００６３】
ＤＬ信号送信部１０１（２０１も同様）は、基地局から送信されるべき上位のレイヤの信号から、物理レイヤの各種信号を生成し、無線送信する機能を含む。ＵＬ信号受信部１０２（２０２も同様）は、ユーザ装置ＵＥから各種の信号を無線受信し、受信した物理レイヤの信号からより上位のレイヤの信号を取得する機能を含む。
【００６４】
基地局間通信部１０３（２０３も同様）は、Ｘ２インターフェースにより基地局間で通信を行う。設定制御部１０５（２０５も同様）は、ＲＲＣ（無線リソース制御）等における種々の設定／変更／管理等の処理を行う。これらの処理には、ＳｅＮＢ追加等を含む構成変更処理が含まれる。つまり、図５、図７、図８等に示したシーケンスにおける処理は、基本的に設定制御部１０５（２０５）により行われる。
【００６５】
差分通知制御部１０４は、ＭｅＮＢが確認応答（ｃｏｎｆｉｒｍａｔｉｏｎ）をＳｅＮＢに通知する際に、図５のステップ１０５／図７のステップ２０５／図８のステップ３０５等で説明したように、設定前後のＭＣＧ／ＳＣＧコンフィギュレーションの差分を判定し、当該差分（ｏｒ差分なし）を確認応答に含めて通知する処理を行う。差分を受け取ったＳｅＮＢ側では、設定制御部２０５において、当該差分に基づいて、最終的に設定されたＭＣＧ／ＳＣＧコンフィギュレーションを把握する。
【００６６】
変更不可通知制御部２０４は、変形例で説明したように、構成変更の際にＳｅＮＢ（設定制御部２０５）が所望のＳＣＧコンフィギュレーションを決定した場合に、当該ＳＣＧコンフィギュレーション（コンフィギュレーション全体、ＩＥ単位、又は、パラメータ単位）が変更不可か否かを決定し、変更不可である場合は変更不可であることを示す情報とＳＣＧコンフィギュレーションとをａｃｋに含めてＭｅＮＢに送信する。
【００６７】
変更不可を受信したＭｅＮＢにおいては、設定制御部１０５が、ＳＣＧコンフィギュレーションの変更を行わないようにして、最終的なＭＣＧ／ＳＣＧコンフィギュレーションを決定し、ユーザ装置ＵＥへの設定を行う。なお、本実施の形態の基地局は、以下のように構成してもよい。
【００６８】
すなわち、本実施の形態の基地局は、基地局間キャリアアグリゲーションによりユーザ装置と通信を行う第１の基地局及び第２の基地局を備える移動通信システムにおいて前記第１の基地局として使用される基地局であって、第１の所望設定情報を含む構成変更要求を前記第２の基地局に通知する通知部と、前記第２の基地局から、第２の所望設定情報を受信し、前記第１の所望設定情報及び前記第２の所望設定情報に基づいて、前記ユーザ装置に設定する第１の設定情報（ｃｏｎｆｉｇｕｒａｔｉｏｎ）及び第２の設定情報（ｃｏｎｆｉｇｕｒａｔｉｏｎ）を決定し、当該第１の設定情報及び当該第２の設定情報を前記ユーザ装置に通知する設定部と、前記第１の設定情報及び前記第２の設定情報の前記ユーザ装置への設定（ｃｏｎｆｉｇｕｒｅ）が完了した後、当該設定の前後における設定情報の差分を前記第２の基地局に通知する差分通知部とを備える基地局である。
【００６９】
また、本実施の形態の基地局は、基地局間キャリアアグリゲーションによりユーザ装置と通信を行う第１の基地局及び第２の基地局を備える移動通信システムにおいて前記第２の基地局として使用される基地局であって、前記第１の基地局から、第１の所望設定情報を含む構成変更要求を受信し、第２の所望設定情報を前記第１の基地局に通知する通知部と、前記第１の基地局が、前記第１の所望設定情報及び前記第２の所望設定情報に基づいて、前記ユーザ装置に設定する第１の設定情報及び第２の設定情報を決定し、当該第１の設定情報及び当該第２の設定情報を前記ユーザ装置に通知し、当該第１の設定情報及び当該第２の設定情報の前記ユーザ装置への設定が完了した後に、当該設定の前後における設定情報の差分を前記第１の基地局から受信する受信部とを備える基地局である。
【００７０】
（実施の形態のまとめ）
以上説明したように、本実施の形態により、基地局間キャリアアグリゲーションによりユーザ装置と通信を行う第１の基地局及び第２の基地局を備える移動通信システムにおける情報通知方法であって、前記第１の基地局が、第１の所望設定情報を含む構成変更要求を前記第２の基地局に通知するステップと、前記第２の基地局が、第２の所望設定情報を前記第１の基地局に通知する第２所望設定情報通知ステップと、前記第１の基地局が、前記第１の所望設定情報及び前記第２の所望設定情報に基づいて、前記ユーザ装置に設定する第１の設定情報及び第２の設定情報を決定し、当該第１の設定情報及び当該第２の設定情報を前記ユーザ装置に通知する設定ステップと、前記第１の設定情報及び前記第２の設定情報の前記ユーザ装置への設定が完了した後、当該設定の前後における設定情報の差分を前記第２の基地局に通知する差分通知ステップとを備える情報通知方法が提供される。
【００７１】
この情報通知方法により、基地局間キャリアアグリゲーションによりユーザ装置と通信を行う第１の基地局と第２の基地局を備える移動通信システムにおいて、第１の基地局から第２の基地局に送信される構成変更に係る設定情報の情報量を削減することが可能となる。
【００７２】
前記差分通知ステップにおいて、前記第１の基地局は、前記ユーザ装置への設定が完了した前記第１の設定情報及び前記第２の設定情報と、前記第１の所望設定情報及び前記第２の所望設定情報との間に差分がある場合に、当該差分を前記第２の基地局に通知することとしてもよい。この構成により、第２の基地局は、構成変更を行うときに設定しようとする設定情報に関する差分を把握できる。
【００７３】
前記差分通知ステップにおいて、前記第１の基地局は、前記ユーザ装置への設定が完了した後に前記ユーザ装置に設定されている設定情報と、前記ユーザ装置への設定の前に当該ユーザ装置に設定されていた設定情報との間に差分がある場合に、当該差分を前記第２の基地局に通知することとしてもよい。この構成により、第２の基地局は、構成変更を行う前後におけるユーザ装置の設定情報全体に関する差分を把握できる。
【００７４】
前記差分通知ステップにおいて、前記差分がない場合に、前記第１の基地局は、差分がないことを示す情報を前記第２の基地局に通知する、又は、差分として何も通知しないこととしてもよい。この構成により、差分がない場合に送信する情報量を大きく削減できる。
【００７５】
前記差分通知ステップにおいて、前記第１の基地局は、設定情報における特定の情報要素のみ、又は、設定情報における特定のパラメータのみについての前記差分を前記第２の基地局に通知することとしてもよい。このように差分を通知する情報を限定することで、情報量削減効果を増大させることができる。
【００７６】
前記第２所望設定情報通知ステップにおいて、前記第２の基地局は、前記第２の所望設定情報が変更不可であることを前記第１の基地局に明示的又は暗黙的に通知することとしてもよい。この構成により、例えば、第２の基地局が第２の所望設定情報の変更を受け入れない場合が発生することを防止できる。
【００７７】
本実施の形態で説明した各基地局（ＭｅＮＢ、ＳｅＮＢ）は、ＣＰＵとメモリを備え、プログラムがＣＰＵ（プロセッサ）により実行されることで実現される構成であってもよいし、本実施の形態で説明する処理のロジックを備えたハードウェア回路等のハードウェアで実現される構成であってもよいし、プログラムとハードウェアが混在していてもよい。
【００７８】
以上、本発明の実施の形態を説明してきたが、開示される発明はそのような実施形態に限定されず、当業者は様々な変形例、修正例、代替例、置換例等を理解するであろう。発明の理解を促すため具体的な数値例を用いて説明がなされたが、特に断りのない限り、それらの数値は単なる一例に過ぎず適切な如何なる値が使用されてもよい。上記の説明における項目の区分けは本発明に本質的ではなく、２以上の項目に記載された事項が必要に応じて組み合わせて使用されてよいし、ある項目に記載された事項が、別の項目に記載された事項に（矛盾しない限り）適用されてよい。機能ブロック図における機能部又は処理部の境界は必ずしも物理的な部品の境界に対応するとは限らない。複数の機能部の動作が物理的には１つの部品で行われてもよいし、あるいは１つの機能部の動作が物理的には複数の部品により行われてもよい。説明の便宜上、基地局は機能的なブロック図を用いて説明されたが、そのような装置はハードウェアで、ソフトウェアで又はそれらの組み合わせで実現されてもよい。本発明の実施の形態に従ってユーザ装置が有するプロセッサにより動作するソフトウェア、及び、基地局が有するプロセッサにより動作するソフトウェアはそれぞれ、ランダムアクセスメモリ（ＲＡＭ）、フラッシュメモリ、読み取り専用メモリ（ＲＯＭ）、ＥＰＲＯＭ、ＥＥＰＲＯＭ、レジスタ、ハードディスク（ＨＤＤ）、リムーバブルディスク、ＣＤ−ＲＯＭ、データベース、サーバその他の適切な如何なる記憶媒体に保存されてもよい。
【００７９】
以下、本明細書に開示される構成を例示的に列挙する。
（第１項）
基地局間キャリアアグリゲーションによりユーザ装置と通信を行う第１の基地局及び第２の基地局を備える移動通信システムにおける情報通知方法であって、
前記第１の基地局が、第１の所望設定情報を含む構成変更要求を前記第２の基地局に通知するステップと、
前記第２の基地局が、第２の所望設定情報を前記第１の基地局に通知する第２所望設定情報通知ステップと、
前記第１の基地局が、前記第１の所望設定情報及び前記第２の所望設定情報に基づいて、前記ユーザ装置に設定する第１の設定情報及び第２の設定情報を決定し、当該第１の設定情報及び当該第２の設定情報を前記ユーザ装置に通知する設定ステップと、
前記第１の設定情報及び前記第２の設定情報の前記ユーザ装置への設定が完了した後、当該設定の前後における設定情報の差分を前記第２の基地局に通知する差分通知ステップと
を備えることを特徴とする情報通知方法。
（第２項）
前記差分通知ステップにおいて、前記第１の基地局は、前記ユーザ装置への設定が完了した前記第１の設定情報及び前記第２の設定情報と、前記第１の所望設定情報及び前記第２の所望設定情報との間に差分がある場合に、当該差分を前記第２の基地局に通知する
ことを特徴とする第１項に記載の情報通知方法。
（第３項）
前記差分通知ステップにおいて、前記第１の基地局は、前記ユーザ装置への設定が完了した後に前記ユーザ装置に設定されている設定情報と、前記ユーザ装置への設定の前に当該ユーザ装置に設定されていた設定情報との間に差分がある場合に、当該差分を前記第２の基地局に通知する
ことを特徴とする第１項に記載の情報通知方法。
（第４項）
前記差分通知ステップにおいて、前記差分がない場合に、前記第１の基地局は、差分がないことを示す情報を前記第２の基地局に通知する、又は、差分として何も通知しない
ことを特徴とする第１項ないし第３項のうちいずれか１項に記載の情報通知方法。
（第５項）
前記差分通知ステップにおいて、前記第１の基地局は、設定情報における特定の情報要素、又は、設定情報における特定のパラメータについての前記差分を前記第２の基地局に通知する
ことを特徴とする第１項ないし第４項のうちいずれか１項に記載の情報通知方法。
（第６項）
前記第２所望設定情報通知ステップにおいて、前記第２の基地局は、前記第２の所望設定情報が変更不可であることを前記第１の基地局に明示的又は暗黙的に通知する
ことを特徴とする第１項ないし第５項のうちいずれか１項に記載の情報通知方法。
（第７項）
基地局間キャリアアグリゲーションによりユーザ装置と通信を行う第１の基地局及び第２の基地局を備える移動通信システムであって、
前記第１の基地局が、第１の所望設定情報を含む構成変更要求を前記第２の基地局に通知し、
前記第２の基地局が、第２の所望設定情報を前記第１の基地局に通知し、
前記第１の基地局が、前記第１の所望設定情報及び前記第２の所望設定情報に基づいて、前記ユーザ装置に設定する第１の設定情報及び第２の設定情報を決定し、当該第１の設定情報及び当該第２の設定情報を前記ユーザ装置に通知し、
前記第１の設定情報及び前記第２の設定情報の前記ユーザ装置への設定が完了した後、当該設定の前後における設定情報の差分を前記第２の基地局に通知する
ことを特徴とする移動通信システム。
（第８項）
基地局間キャリアアグリゲーションによりユーザ装置と通信を行う第１の基地局及び第２の基地局を備える移動通信システムにおいて前記第１の基地局として使用される基地局であって、
第１の所望設定情報を含む構成変更要求を前記第２の基地局に通知する通知手段と、
前記第２の基地局から、第２の所望設定情報を受信し、前記第１の所望設定情報及び前記第２の所望設定情報に基づいて、前記ユーザ装置に設定する第１の設定情報及び第２の設定情報を決定し、当該第１の設定情報及び当該第２の設定情報を前記ユーザ装置に通知する設定手段と、
前記第１の設定情報及び前記第２の設定情報の前記ユーザ装置への設定が完了した後、当該設定の前後における設定情報の差分を前記第２の基地局に通知する差分通知手段と
を備えることを特徴とする基地局。
（第９項）
基地局間キャリアアグリゲーションによりユーザ装置と通信を行う第１の基地局及び第２の基地局を備える移動通信システムにおいて前記第２の基地局として使用される基地局であって、
前記第１の基地局から、第１の所望設定情報を含む構成変更要求を受信し、第２の所望設定情報を前記第１の基地局に通知する通知手段と、
前記第１の基地局が、前記第１の所望設定情報及び前記第２の所望設定情報に基づいて、前記ユーザ装置に設定する第１の設定情報及び第２の設定情報を決定し、当該第１の設定情報及び当該第２の設定情報を前記ユーザ装置に通知し、当該第１の設定情報及び当該第２の設定情報の前記ユーザ装置への設定が完了した後に、当該設定の前後における設定情報の差分を前記第１の基地局から受信する受信手段と
を備えることを特徴とする基地局。
【００８０】
本発明は上記実施形態に限定されず、本発明の精神から逸脱することなく、様々な変形例、修正例、代替例、置換例等が本発明に包含される。
【符号の説明】
【００８１】
ＭｅＮＢ、ＳｅＮＢ  基地局
ＵＥ  ユーザ装置
１０  コアネットワーク
１０１  ＤＬ信号送信部
１０２  ＵＬ信号受信部
１０３  基地局間通信部
１０４  差分通知制御部
１０５  設定制御部
２０１  ＤＬ信号送信部
２０２  ＵＬ信号受信部
２０３  基地局間通信部
２０４  変更不可通知制御部
２０５  設定制御部
【図１】
2016077013.tif 000003
【図２】
2016077013.tif 000004
【図３】
2016077013.tif 000005
【図４】
2016077013.tif 000006
【図５】
2016077013.tif 000007
【図６】
2016077013.tif 000008
【図７】
2016077013.tif 000009
【図８】
2016077013.tif 000010
【図９】
2016077013.tif 000011